(57)【要約】  【課題】可燃性冷媒を用いた冷蔵庫の除霜ヒータの安価と小型化を実現して、貯蔵スペースを増量できる冷蔵庫を提供する。  【解決手段】冷媒管８および複数のフィン９からなる冷却器７と、ガラス管とキャップとからなるラジアントヒータ１０とを備え、可燃性冷媒を用いた冷蔵庫において、ラジアントヒータ１０はフィン９の最下面の切り欠き部に接して配置し、少なくともラジアントヒータ１０のガラス管の直径方向の半分以上をフィン９内側に埋設することにより、冷却システムユニットの小型化を実現して貯蔵スペースを増量させることができる。【選択図】図２
2007298211.tif 000002
【特許請求の範囲】
【請求項１】
冷媒管および複数のフィンからなる冷却器と、ガラス管とキャップとからなるラジアントヒータとを備え、可燃性冷媒を用いた冷蔵庫において、前記ラジアントヒータは前記フィンの最下面の切り欠き部に接して配置し、少なくとも前記ラジアントヒータのガラス管の直径方向の半分以上を前記フィン内側に埋設したことを特徴とする冷蔵庫。
【請求項２】
前記切り欠き部はフィンをＬ字状に折り曲げた折曲部を有し、前記折曲部とガラス管とを接設したことを特徴とする請求項１に記載の冷蔵庫。
【請求項３】
前記切り欠き部の折曲部はガラス管を挟んで両側に略均一寸法としたことを特徴とする請求項１または２に記載の冷蔵庫。
【請求項４】
前記切り欠き部の折曲部は前記フィンの最下面を含んだ一部が平面的に折り曲げて形成したことを特徴とする請求項１から３のいずれか一項に記載の冷蔵庫。
【請求項５】
ガラス管の両端に設けた前記キャップは回り止め構造とし、前記冷却器に一体固定したことを特徴とする請求項１から４のいずれか一項に記載の冷蔵庫。
【請求項６】
ラジアントヒータの上方に傘を有し、前記傘は前記フィンを貫通して配置したことを特徴とする請求項１から５のいずれか一項に記載の冷蔵庫。
【請求項７】
前記傘の端部に抜け防止のストッパー機構を設けたことを特徴とする請求項１から６のいずれか一項に記載の冷蔵庫。
【請求項８】
前記ラジアントヒータと前記傘は、最下段の前記複数の冷却管から均等位置に配置したことを特徴とする請求項１から７のいずれか一項に記載の冷蔵庫。
【発明の詳細な説明】
【技術分野】
【０００１】
本発明は、安価な除霜ヒータを採用しても安全性を確保できる可燃性冷媒を用いた冷蔵庫に関するものである。
【背景技術】
【０００２】
近年、冷蔵庫は可燃性冷媒を用いて脱フロン化が進んでおり、環境に配慮することが必要不可決である。そのため万が一可燃性冷媒が冷蔵庫内に洩れた場合でも除霜ヒータの表面温度が発火温度に至らないよう除霜ヒータのガラス管を二重構造にし昇温を防止するようになってきている（例えば、特許文献１参照）。
【０００３】
以下、図面を参照しながら、上記従来の冷蔵庫について説明する。
【０００４】
図５は、特許文献１に記載された従来の冷蔵庫の冷却器を示すものであり、冷媒が蒸発しながら循環する冷媒管２と熱交換する冷却フィン３とより成っている。
【０００５】
冷却器１下部にはラジアントヒータ４（除霜ヒータ）が除霜水の水かかり防止用の傘６を両端のキャップ５で保持して構成している。
【０００６】
上記構成において、冷却器１に付いた霜は一定時間ごとにラジアントヒータ４を通電させて、冷却器１から落下してくる除霜水が直接ラジアントヒータ４にかからないよう傘６で避けながら除霜させる。
【特許文献１】特開２００３−９０６７２号公報
【発明の開示】
【発明が解決しようとする課題】
【０００７】
しかしながら、上記従来の冷蔵庫では、万が一可燃性冷媒が冷蔵庫内に洩れた場合でも除霜ヒータの表面温度が発火温度に至らないよう除霜ヒータのガラス管を二重構造にして昇温を防止する必要があり高価な除霜ヒータを採用しなければならない、また冷却器とは別に除霜装置を設けなくてはならないため冷却システムユニットが大きくなり貯蔵スペースを大きく確保できないという課題を有していた。
【０００８】
本発明は上記従来の課題を解決するものであり、冷却器に除霜ヒータを直接接触させることにより一重管の安価な除霜ヒータでもガラス管の表面温度の昇温を防止することができ、冷却器と除霜ヒータを一体化することで冷却システムユニットの小型化を実現して貯蔵スペースを増量できる冷蔵庫を提供することを目的とする。
【課題を解決するための手段】
【０００９】
上記従来の課題を解決するために、本発明の冷蔵庫は冷媒管および複数のフィンからなる冷却器と、ガラス管とキャップとからなるラジアントヒータとを備え、可燃性冷媒を用いた冷蔵庫において、前記ラジアントヒータは前記フィンの最下面の切り欠き部に接して配置し、少なくとも前記ラジアントヒータのガラス管の直径方向の半分以上を前記フィン内側に埋設したものである。
【００１０】
これによって一重管の安価な除霜ヒータを採用しても冷却フィンと直接接触して放熱するためガラス管の表面温度の昇温を防止することができ、また冷却器と除霜ヒータを一体化することで冷却システムユニットの小型化を実現して貯蔵スペースを増量させることができる。
【発明の効果】
【００１１】
本発明の冷蔵庫は、一重管の安価な除霜ヒータを採用しても冷却フィンと直接接触して放熱するためガラス管の表面温度の昇温を防止することができ、また冷却器と除霜ヒータを一体化することで冷却システムユニットの小型化を実現して貯蔵スペースを増量させることができる。
【発明を実施するための最良の形態】
【００１２】
請求項１に記載の発明は、冷媒管および複数のフィンからなる冷却器と、ガラス管とキャップとからなるラジアントヒータとを備え、可燃性冷媒を用いた冷蔵庫において、前記ラジアントヒータは前記フィンの最下面の切り欠き部に接して配置し、少なくとも前記ラジアントヒータのガラス管の直径方向の半分以上を前記フィン内側に埋設したことにより一重管の安価な除霜ヒータを採用しても冷却フィンと直接接触して放熱するためガラス管の表面温度の昇温を防止することができ、また冷却器と除霜ヒータを一体化することで冷却システムユニットの小型化を実現して貯蔵スペースを増量させることができる。
【００１３】
請求項２に記載の発明は、請求項１に記載の発明において、切り欠き部のフィンをＬ字状に折り曲げた折曲部を有し、前記折曲部とガラス管とを接設することにより、ラジアントヒータと冷却器との接触面積が大きくなり、伝熱効果が高くなるため、ラジアントヒータの表面温度を下げ、かつ効率よく除霜することができる。
【００１４】
請求項３に記載の発明は、請求項１または２に記載の発明において、切り欠き部の折曲部がガラス管を挟んで両側に略均一寸法としたことにより、ラジアントヒータからの熱がガラス管を挟んで両側バランスよく冷却器に伝えられ、ラジアントヒータの表面温度を下げ、かつ冷却器を均一に除霜することができる。
【００１５】
請求項４に記載の発明は、請求項１から３のいずれか一項に記載の発明において、切り欠き部の折曲部がフィンの最下面を含んだ一部を平面的に折り曲げて形成されることにより、ラジアントヒータと冷却器との接触面積がさらに大きくなり、伝熱効果が高くなるため、ラジアントヒータの表面温度を下げ、かつ効率よく除霜することができる。
【００１６】
請求項５記載の発明は、請求項１から４のいずれか一項に記載の発明において、ガラス管の両端に設けたキャップを回り止め構造とし、冷却器に一体固定することにより、ラジアントヒータが回転することがなく、固定することができる。
【００１７】
請求項６に記載の発明は、請求項１から５のいずれか一項に記載の発明において、ラジアントヒータの上方に傘を有し、前記傘は冷却器フィンを貫通して配置することにより、冷却器から落下する融解した除霜水が直接ラジアントヒータにかかることがなく、ラジアントヒータの破損を防止することができ、冷蔵庫本体としての耐久性、信頼性も向上させることができる。
【００１８】
請求項７に記載の発明は、請求項１から６のいずれか一項に記載の発明において、傘の端部に抜け防止のストッパー機構を設けたことにより、運搬時の振動などにより、抜け落ちることを防ぐことができ、冷蔵庫本体としての信頼性も高めることができる。
【００１９】
請求項８に記載の発明は、請求項１から７のいずれか一項に記載の発明において、ラジアントヒータと傘は、最下段の複数の冷却管から均等位置に配置することにより、冷却器の中央線から変心させて、冷却器とラジアントヒータ、傘を一体化することで冷却システムユニットの小型化を実現できるため、余剰スペースを有効利用することで冷蔵庫の庫内内容積を増量することができる。
【００２０】
以下、本発明の実施の形態について、図面を参照しながら説明する。なお、この実施の形態によってこの発明が限定されるものではない。
【００２１】
（実施の形態１）
図１は本発明の実施の形態１における冷蔵庫の冷却器の正面図、図２は詳細斜視図、図３は下部側面図、図４はフィン切欠き部側面断面図である。
【００２２】
図１から図４において、冷蔵庫の冷却器７は、冷媒が蒸発しながら循環する冷媒管８と熱交換する冷却フィン９とより成っている。
【００２３】
冷却フィン９の最下面には側部折曲形状１３と天部フランジ形状１４とで構成する切り欠き形状１６を配し、両端に回り止め構造１１ａを有したキャップ１１で構成したラジアントヒータ１０（除霜ヒータ）が挿入してある。
【００２４】
また、冷却フィン９に設けた傘用貫通穴１５に傘１２が「く」の字型に成型して挿入してあり、両端に抜け防止の固定機構１２ａで固定してある。
【００２５】
傘１２とラジアントヒータ１０の取付け位置は最下段の冷媒管８の中央に位置させてある。
【００２６】
以上のように構成された冷蔵庫について、以下その動作、作用を説明する。
【００２７】
冷却器７に付いた霜は一定時間ごとにラジアントヒータ１０を通電させて、冷却器７から落下してくる除霜水が直接ラジアントヒータ１０にかからないよう傘１２で避けながら除霜させる。冷却フィン９の最下面に設けた側部折曲形状１３と天部フランジ形状１４とがラジアントヒータ１０に直接接触させることでラジアントヒータ１０が発熱しても冷却フィン９に伝導拡散することで一重管の安価な除霜ヒータでもガラス管の表面温度の過剰な昇温を防止することができ、また天部フランジ形状１４のフランジを小さくすることでガラス管表面の熱こもり昇温せず除霜に必要な遠赤外線を天部から冷却器７に照射することができ、万が一可燃性冷媒が冷蔵庫内に洩れた場合でも除霜ヒータの表面温度が発火温度に至らない。
【００２８】
ラジアントヒータ１０の両端キャップ１１には回り止め構造１１ａを形成しているため、冷却フィン９の最下面にラジアントヒータ１０を挿入すると側部折曲形状１３によって両端キャップ１１の両側面から挟み込むよう配置し、また回り止め構造１１ａに当接するためラジアントヒータ１０は回転することなく固定することができる。
【００２９】
傘１２は「く」の字型に成型して挿入することで除霜水の水切り効果を高めると共に、冷却フィン９に設けた傘用貫通穴１５に３点以上で当接することでガタツキの防止が図れる。また傘１２の両端に抜け防止の固定機構１２ａを設けて抜け落ち防止を図っている。
【００３０】
また、傘１２とラジアントヒータ１０の取付け位置は最下段の冷媒管８の中央に配置して冷却器７の中央線から変心１７させて、冷却器７とラジアントヒータ１０、傘１２を一体化することで冷却システムユニットの小型化を実現できるため、余剰スペースを有効利用することで冷蔵庫の庫内内容積を増量することができる。
【産業上の利用可能性】
【００３１】
以上のように、本発明にかかる冷蔵庫は、可燃性冷媒を用いた安価な除霜ヒータを採用しても安全性を確保できるもので冷蔵機器全般の用途にも適用できる。
【図面の簡単な説明】
【００３２】
【図１】本発明の実施の形態１における冷蔵庫の冷却器の正面図
【図２】本発明の実施の形態１における冷蔵庫の冷却器の詳細斜視図
【図３】本発明の実施の形態１における冷蔵庫の冷却器の下部側面図
【図４】本発明の実施の形態１における冷蔵庫の冷却器のフィン切り欠き部側面断面図
【図５】従来の冷蔵庫の冷却器の正面図
【符号の説明】
【００３３】
７    冷却器
８    冷媒管
９    冷却フィン
１０  ラジアントヒータ（除霜ヒータ）
１１  キャップラジアントヒータ
１１ａ  回り止め構造
１２  傘
１２ａ  固定機構
１３  切り欠き側部折曲形状
１４  切り欠き天部フランジ形状
１５  傘用貫通穴
１６  フィン最下面切り欠き形状
１７  変心
【図１】
2007298211.tif 000003
【図２】
2007298211.tif 000004
【図３】
2007298211.tif 000005
【図４】
2007298211.tif 000006
【図５】
2007298211.tif 000007